(57)【特許請求の範囲】
【請求項１】
液状化粧料を収容する容器本体と、該容器本体を密閉するキャップと、該キャップの天井部分より垂下し先端にアプリケータを設けた塗布棒と、ゴム弾性を有しアプリケータに付着した化粧料をしごくワイパーを有する液状化粧料容器において、
ワイパーが、
容器本体内より塗布棒を挿脱する時に、塗布棒の外周全周を摺接しながら挿通する挿通穴と、
ワイパーの伸長方向に交差するよう表裏を貫通する複数のスリットと、
を有しアプリケータあるいは塗布棒の容器本体内への挿入でスリットが開口し、脱抜でスリットが閉塞復帰することを特徴とする液状化粧料容器。
【請求項２】
前記塗布棒が、
キャップの閉蓋位置でスリットの開口を閉塞する大径部を有し、
該大径部が、
ワイパーの内面に付着する液状化粧料を容器本体内に戻すと共にスリットの開孔を塞ぐことを特徴とする請求項１記載の液状化粧料容器。
【請求項３】
前記アプリケータが、
前記塗布棒の先端に設けられるアプリケータ基部と、
該アプリケータ基部に塗布棒の軸長方向に平行して設けられる凹溝と、
該凹溝の底部より略垂設されるブラシ毛と、
を有することを特徴とする請求項１または請求項２記載の液状化粧料容器。
【発明の詳細な説明】
【技術分野】
【０００１】
本発明はマスカラ、アイライナー、リップグロス等の液状化粧料容器に関する。詳しくはキャップの天井部分より垂下する塗布棒の先端に設けられるアプリケータおよび該塗布棒、アプリケータに付着する過剰な液状化粧料を払拭するワイパーに関する。
【背景技術】
【０００２】
従来、マスカラ、アイライナー、リップグロス等の液状化粧料は、容器本体内に収容する液状化粧料を塗布棒の先端に設けたアプリケータに付着させ、適量の液状化粧料を睫毛、瞼、唇等に塗布される。容器本体内から取り出される液状化粧料は、過剰分を容器本体の首部に設けられ、アプリケータの外周より僅か小径な挿通穴を形成するワイパーでしごき、容器本体内に戻されていた。
【０００３】
液状化粧料容器はハンドバック等に入れて持ち運ばれたり、化粧台等の引き出し等に保管されたりする非使用時間が主流を占め、容器の姿勢が適正に整理されていることは殆どない。そのためワイパーには器本体内から液状化粧料の不用意な漏出を防止できるパッキン機能が要求される。他方ワイパーには容器本体内に塗布棒を挿脱する際の内圧上昇に伴う化粧料の噴出や、塗布棒のポンピング現象を回避する機能が要求されていた。
【０００４】
またアプリケータには容器本体内の液状化粧料をブラシ毛に充分に付着でき、取り出し量を容易に調整できることが要求されていた。
【先行技術文献】
【特許文献】
【０００５】
【特許文献１】実開昭５７−１７９３１３号公報（第１ページ、図２、図３）
【特許文献２】特開２００４−１８７８７８号公報(第７ページ、図１、図２)
【特許文献３】特開２００８−２３０１３号公報(第６ページ、図１、図４)
【発明の概要】
【発明が解決しようとする課題】
【０００６】
特許文献１、特許文献２は容器本体の姿勢に拠らず液状化粧料の不用意な漏出を防止すると共に、容器本体内に塗布棒を挿脱する際の内圧上昇に伴う化粧料の噴出や、塗布棒のポンピング現象の回避手段を例示している。
【０００７】
即ち特許文献１ではワイパー（しごきゴム片）が容器本体の首部の内周に設けられ、先端側を塗布棒に摺接すると共に側壁に内圧上昇を抑止する空気抜け孔を穿設した払拭部および払拭部の上方外側壁から垂下するスカート部から構成される。塗布棒は上方に拡径段部が設けられ、塗布棒の挿入完了時に払拭部を拡開して空気抜け孔を閉塞し液状化粧料の不用意な漏出を防止する。
【０００８】
また特許文献２ではワイパー（掻取部材）が容器本体の首部（口頸部）の内周に突設され、先端を塗布棒（軸）に摺接すると共に外周に液状化粧料を容器本体内に戻す液通過孔を有する掻取つば部で構成される。液通過孔は塗布軸の抜き差しに伴うワイパー（掻取部材）上への液状化粧料の液溜り問題を解消すると共に容器本体内の内圧上昇を抑止する空気抜け孔の機能も有する。また塗布棒（軸）の上部外側に弾性を有する押出つば部を突設した押出部材が設けられ、塗布棒（軸）の挿入完了時に液通過孔を閉塞し液状化粧料の不用意な漏出を防止する。
【０００９】
特許文献１の空気抜け孔、特許文献２の液通過孔は、非使用時での内圧上昇、液状化粧料の漏出を防止可能にする。しかし、塗布棒を容器本体内に挿脱し液状化粧料を攪拌する場合、泡立ちに関わる空気が空気抜け孔、液通過孔を通じ外気からいくらでも供給されるため、液状化粧料は泡立ちにより膨張し続ける。したがって液状化粧料の噴出し問題は解消されていない。
【００１０】
さらに、キャップが僅かでも開蓋している場合、液状化粧料の漏出は防止できなかった。例えば容器本体内で塗布棒外周に付着して引き上げられる液状化粧料は泡立って膨張し空気抜け孔、液通過孔を介し漏出する。漏出した液状化粧料は容器本体の首部の内周に設けられたワイパー上に溜り、ワイパーでしごかれたばかりの塗布棒表面に新たに液状化粧料を付着させ、化粧時に周辺や手指等を汚すといった問題点があった。
【００１１】
特許文献３はブラシ毛を帯状に配設したアプリケータであって、液状化粧料をブラシ毛に充分に付着すると共に睫毛、瞼、唇等への塗布で使い勝手の良いアプリケータを例示している。
【００１２】
特許文献３は塗布棒に設けられた凹溝の底面に沿って帯状の塗布部を配設したアプリケータであって、アプリケータをワイパー（しごき片）でしごく際にブラシ毛は凹溝の底部から毛先にわたり大きく曲げて曲折して凹溝内に収納される。凹溝内には同時に液状化粧料も溜まることからワイパー（しごき片）でしごかれた後でもブラシ毛の先端から根本まで液状化粧料を均一に付着させることができると同時に塗布部以外の塗布棒の外周を完全に払拭することを可能にする。
【００１３】
しかし、特許文献３のアプリケータを従来のワイパーを用いた液状化粧料容器に適用した場合であっても液状化粧料の漏出は防止できないといった問題点がある。
【００１４】
本発明はこのような問題点に鑑みてなされたものでその目的とするところは、容器本体内で泡立ったマスカラ等の液状化粧料の容器本体からの漏出、噴出をなくし、使い勝手のよい液状化粧料容器を提供しようとするものである。
【００１５】
また、アプリケータを軸長方向に直線状に伸びた帯状に配列して睫毛の毛元まで失敗なく塗布できる化粧料塗布具を提供しようとするものである。さらにアプリケータに付着する液状化粧料がブラシ毛先端まで偏在なく付着する化粧料塗布具を有する液状化粧料容器を提供しようとするものである。またこのような液状化粧料容器を安価に提供できるようにするものである。
【課題を解決するための手段】
【００１６】
本発明液状化粧料容器は、上記目的を達成するためワイパー５が、容器本体１の首部入口に向かい拡径する漏斗状部５５を形成し、塗布棒７の外周全周を摺接すると共に塗布棒７が挿通できる挿通穴５１と、ワイパー５の伸長方向に交差するよう表裏を貫通する複数のスリット５３とを有するものである。
【００１７】
また塗布棒７が、キャップ３の閉蓋位置で前記漏斗状部５５に密接する大径部７１を有するものである。
【００１８】
さらにアプリケータ９が、塗布棒７の先端に設けられるアプリケータ基部９１と、アプリケータ基部９１の正面に塗布棒７に平行して設けられる凹溝９３と、凹溝９３の底部９２より略垂設されるブラシ毛９５とを有するものである。
【発明の効果】
【００１９】
本発明化粧料塗布具にあっては以下に記載する効果を奏する。すなわち、ワイパー５の表裏を貫通するスリット５３は、塗布棒７の容器本体１内方への挿入で開口し、塗布棒７の容器本体１外方への脱抜で閉塞する。スリット５３の開口は、容器本体１内の圧力を外気と同等にし、圧力上昇を防止する。また、スリット５３の閉塞は容器本体１の内外で空気、液状化粧料１００の移動を遮断する。
【００２０】
該スリット５３の開閉は容器本体１内の液状化粧料１００が塗布棒７、アプリケータ９等により攪拌され気泡１１０が発生した場合でも容器本体１内の液状化粧料１００と空気量の総量を増加させない。そのため容器本体１内で気泡１１０を含んだ液状化粧料１００が容器本体１の容積より増大することはなく液状化粧料１００見かけ上、容器本体１以上の体積増大がなくなりの噴出や漏出の原因は解消される効果がある。
【００２１】
さらに、スリット５３の閉塞は塗布棒７外周に付着して引き上げられる液状化粧料１００の流出口をなくする。したがって液状化粧料１００の漏出を防止しワイパー５内面側の液溜りを抑える効果がある。
【００２２】
また塗布棒７に形成される大径部７１はキャップ３の閉蓋位置で漏斗状部５５に密接することでスリット５３の開孔を閉塞する。塗布棒７の大径部７１によるスリット５３の閉塞はワイパー５内面に付着する液状化粧料１００を容器本体１内に戻す。さらにはキャップ３を閉蓋した液状化粧品容器の姿勢等に起因する液状化粧料１００の漏出を防止できる。そのため常時清浄な塗布棒７に取り付けられたアプリケータ９で安心して化粧に専念できる効果がある。
【００２３】
また、ブラシ毛９５がワイパー５の摺接圧力により凹溝９３内に押し込まれることで塗布棒７外周はブラシ毛９５の突出形状に関係なく塗布棒７に付着する液状化粧料１００を完全に払拭できる。同時に凹溝９３内にはブラシ毛９５と共に液状化粧料１００が均一に分布される。そのためアプリケータ９が形状復帰する際、ブラシ毛９５は液状化粧料１００を先端まで均一に付着し塗布ムラをなくすことができる効果がある。
【図面の簡単な説明】
【００２４】
【図１】本発明化粧料塗布具を用いたマスカラ容器の組立て説明図である。
【図２】本発明にかかるワイパーの説明図である。
【図３】本発明にかかる塗布棒の挿脱説明図である。
【図４】本発明にかかるアプリケータの一実施例説明図である。
【図５】容器本体におけるアプリケータの抜き取り説明図である。
【発明を実施するための形態】
【００２５】
ワイパー５は漏斗状部５５を有し、漏斗状部５５には表裏を貫通する複数のスリット５３が形成される。スリット５３はアプリケータ９あるいは塗布棒７を液状化粧料１００が収納される容器本体１に挿入する際に漏斗状部５５が伸長され開口する。またアプリケータ９あるいは塗布棒７を容器本体１より抜脱する際に漏斗状部５５が圧縮縮小され閉塞される。したがってワイパー５には引き裂き強度と伸縮性が要求される。ワイパー用材料としては例えばＮＢＲゴム、シリコンゴム、ウレタンゴム等の採用が好適である。
【００２６】
アプリケータ９は塗布棒７の先端に設けられ容器本体７内の液状化粧料１００を付着させて塗布する塗布具で、アプリケータ基部９１の正面に塗布棒７の中心軸Ｌに平行するよう凹溝９３を形成する。凹溝９３の底部９２には軟弾性を有するブラシ毛９５が垂設される。凹溝９３は容器本体１内の液状化粧料１００を付着させワイパー５でしごかれる際に、ブラシ毛９５と液状化粧料１００を均一に収納する。したがって凹溝９３は曲折されたブラシ毛９５が収納され、さらに塗布に必要な液状化粧料１００が収納されるスペースを有する。アプリケータ９はアプリケータ基部９１、ブラシ毛９５を一体成形、さらには塗布棒７と一体成形することも良い。この場合アプリケータ用材料には少なくともブラシ毛９５がワイパー５にしごかれ曲折し凹溝９３内に収納程度のゴム弾性を要求される。
【実施例１】
【００２７】
以下本発明液状化粧料容器を図に基づいて説明する。図１は本発明化粧料塗布具を用いたマスカラ容器の組立て説明図で、液状化粧料容器の一例であるマスカラ容器の縦断面図を表す。
【００２８】
図において液状化粧料容器は液状化粧料１００を収容する筒状の容器本体１と容器本体１に螺合閉蓋するキャップ３より構成される。キャップ３の内面天井部からは断面略円形で下端にアプリケータ９を設ける塗布棒７が垂下される。液状化粧料１００は容器本体１内よりアプリケータ９に付着して抜き取られ、キャップ３を指先で保持して塗布される。そのため塗布棒７は手指で保持して塗布しやすい長さに設定されている。塗布棒７の中間位置には拡径された大径部７１が設けられている。
【００２９】
容器本体１の上部開口端には雄螺子部１３を有する首筒１１が嵌着されている。首筒１１の下部と容器本体１との間にはワイパー５が止着されている。ワイパー５は上方に向かって広がると共に表裏を貫通するスリット５３を設けた漏斗状部５５と挿通穴５１を有し、挿通穴５１を挿通する塗布棒７、アプリケータ基部９１の外周を摺接し液状化粧料１００を払拭する。
【００３０】
また、塗布棒７の中間位置に設けられる大径部７１は容器本体１を閉蓋する位置でワイパー５を形成する漏斗状部５５のスリット５３の開口を閉塞する。
【００３１】
ワイパー５には液状化粧料１００の残るアプリケータ９や塗布棒７が挿脱されることから、容器本体１内から液状化粧料１００の漏出、噴出しがなくともワイパー５内面は汚され漏斗状部５５の内面に液溜りを形成することがある。大径部７１はワイパー５を形成する漏斗状部５５のスリット５３開口を通じワイパー５の内面に付着する液状化粧料１００を強制的に容器本体１内に戻す。
【００３２】
また容器本体１をキャップ３で閉蓋した場合、スリット５３は完全には閉塞されない場合がある。しかし、大径部７１は開孔しているスリット５３を完全に閉塞でき容器本体１の姿勢による液状化粧料１００のワイパー５上への漏出を防止する。
【００３３】
図２は本発明にかかるワイパーの説明図である。図２（Ａ）は塗布棒７を矢印Ａ方向に挿入している。ワイパー５を構成する漏斗状部５５の下方には塗布棒７より小径の挿通穴５１を開口している。塗布棒７を塗布棒挿入方向である矢印Ａ方向に挿入しているワイパー５は漏斗状部５５を矢印Ａ方向に伸長し、スリット５３を開口し、容器本体１内の空気を矢印Ｃに沿い排出可能にする。
【００３４】
また図２（Ｂ）は塗布棒７を塗布棒脱抜方向である矢印Ｂ方向に脱抜している状態を示す。塗布棒７を矢印Ｂ方向に脱抜されているワイパー５は漏斗状部５５を矢印Ｂ方向に圧縮縮小してスリット５３を強く閉塞し容器本体１内外の空気移動を遮断する。
【００３５】
図３は本発明にかかる塗布棒の挿脱説明図である。図３（Ａ）に示す塗布棒７の矢印Ａ方向の挿入は、ワイパー５の漏斗状部５５を図２（Ａ）のように伸長し、スリット５３を開口する。容器本体１内の空気は塗布棒７の挿入により押し出され、開口されたスリット５３を介し矢印Ｄに従って排出される。したがって容器本体１内の圧力上昇は防止される。
【００３６】
次に図３（Ｂ）に示す塗布棒７の矢印Ｂ方向の脱抜は、ワイパー５の漏斗状部５５を図２（Ｂ）のように圧縮し、スリット５３を圧縮し強く閉塞する。容器本体１内は塗布棒７の脱抜により容積を増大し、閉塞したスリット５３により外気の補給を絶ち減圧する。すなわち、塗布棒７を挿入した時の容器本体１内の空気と液状化粧料の和は、塗布棒７の攪拌等による挿脱に関わらず一定に維持される。
【００３７】
すなわち、攪拌により液状化粧料１００内に取り込まれる空気量は塗布棒７を挿入した時の容器本体１内の空気量と同一となる。したがって図３（Ｂ）に示されるように気泡１１０が発生した液状化粧料１００の見かけ上の体積は容器本体１の容積以下となり液状化粧料１００をいくら攪拌しても噴出や漏出の生じることはなくなる。
【００３８】
また、塗布棒７の表面に付着した液状化粧料１００は塗布棒７の脱抜で強制的にワイパー５に向け引き上げられる。しかし、液状化粧料１００は図３（Ｃ）のように閉塞したスリット５３によりワイパー５の内面への漏出は妨げられる。
【実施例２】
【００３９】
次に本発明にかかる上記ワイパー５を用いるに最適なアプリケータ９に付着する液状化粧料のしごき取りについて説明を加える。
【００４０】
図４は本発明にかかるアプリケータの一実施例説明図である。図４は図１、図３にて示されるようにキャップ３の内面天井部から垂下される塗布棒７の先端に嵌合固定されるアプリケータ９で、図４（Ａ）は側断面図、図４（Ｂ）はコーム部９７の側から見た底面図を示す。図４に示すアプリケータ９はアプリケータ基部９１、凹溝９３、ブラシ毛９５、コーム９７、塗布棒取付部９９を一体成形している。ブラシ毛９５はワイパー５によりしごかれ凹溝９３に向けて曲折される程度に軟質である必要がある。アプリケータ基部９１は反対に適度な剛性を要求される。こうした相反する硬度要求を満たすために凹溝９３を形成するリブは有効である。
【００４１】
図５は塗布棒と一体の場合の容器本体におけるアプリケータの抜き取り説明図である。図３（Ｂ）のように塗布棒７を矢印Ｂ方向に脱抜する状態を部分表示する。凹溝９３の底部９２に垂設されたブラシ毛９５はワイパー５の漏斗状部５５に摺接され曲折して図５(Ａ）のように凹溝９３の隙間に侵入する。
【００４２】
図５（Ｂ）は図５（Ａ）のＥＥ断面を示す。ワイパー５の漏斗状部５５に摺接され曲折して凹溝９３の隙間に侵入したブラシ毛９５と共に液状化粧料１００も図５（Ｂ）に示すように凹溝９３に均等に侵入する。このように凹溝９３に侵入した液状化粧料１００はワイパー５で強くしごいてもしごき落すことはできない。
【００４３】
しかし、ワイパー５の貫通穴５１を抜けたブラシ毛９５は曲折を解除され図５（Ｂ）のように漏斗状５５部、首筒１１の内面に軽く接しつつ形状を復帰する。
【００４４】
アプリケータ９がワイパー５に対し矢印Ｂ方向に抜き取られ払拭される場合、ブラシ毛９５は凹溝９３の底部９２から毛先にわたり大きく曲げられる。そのためブラシ毛９５は小さな力で凹溝９３内に侵入できる。ブラシ毛９５を凹溝９３内に収納するアプリケータ基部９１は表面に付着する液状化粧料１００をワイパー５によりしごき取られる。しかし、塗布棒７の凹溝９３内には液状化粧料１００が残留する。そこで形状を復帰した隣接するブラシ毛９５同士の隙間には、図５（Ｂ）に例示したようにブラシ毛９５間に侵入した液状化粧料１００がブラシ毛９５の先端部を含め付着保持され、睫毛等への塗布で有効に塗布することを可能にする。
【００４５】
他方、ワイパー５の挿通穴５１は塗布棒７、アプリケータ９の外周を軽く締めるように摺接し液状化粧料１００を払拭し過剰な液状化粧料１００を容器本体１内に残す。この時、挿通穴５は矢印Ｂ方向に僅か押し上げられ漏斗状部５５を軸長方向に圧縮しスリット５３を強めに閉口し、容器本体１内への空気の流入および液状化粧料１００の漏出を防止する。容器本体１内への空気の流入防止は液状化粧料１００が塗布棒７、アプリケータ９により攪拌されて気泡１１０が発生したとしても実質上液状化粧料１の体積、空気の容積を概略一定に保つ。そのためいくら攪拌しても容器本体１内で気泡１１０を含んだ液状化粧料１００は容器本体１の容積をこえることはなくワイパー５上に噴出したり漏れ出したりする不具合はなくなる。
【００４６】
したがって、凹溝９３にブラシ毛９５を収容できるようにしたアプリケータ９とスリット５３により容器本体１内の圧力上昇を防止したワイパー５の組み合わせは液状化粧料１００をブラシ毛９５の先端まで付着した状態で採り出せる。また、液状化粧料１００を攪拌しても噴出、漏れ等が生じず使い易い液状化粧料容器を実現できるものである。
【００４７】
以上、本発明にかかるアプリケータを図に示すとおり一体成形したアプリケータで説明してきたが、本発明にかかるアプリケータ９は凹溝９３の底部９２の側よりブラシ毛９５が略垂設されていれば良いものである。即ち、ブラシ毛９５をアプリケータ基部９１にインサート成形することはもちろん、ブラシ毛９５のみを別体に成形し凹溝９３の底部９２に融着あるいは接着、嵌着などで固定することも含まれる。また、繊維状のブラシ毛材を二本の針金の間で捩った円筒状ブラシ毛を半円弧状に整形して凹溝９３の底部９２に位置決めしたものも含まれる。また塗布棒７とアプリケータ基部９１、ブラシ毛９５、コーム部９７を一体に成形することも良いものである。
【００４８】
以上説明のとおり、アプリケータ基部９１に形成された凹溝９３の底部９２にブラシ毛９５を垂設するアプリケータ９と漏斗状部５５に表裏を貫通するスリット５３を設けたワイパー５を組み合わせることにより発明の効果の欄に記載する効果を奏する。
【符号の説明】
【００４９】
１・・・・容器本体
３・・・・キャップ
５・・・・ワイパー
７・・・・塗布棒
９・・・・アプリケータ
１１・・・首筒
１３・・・雄螺子部
５１・・・挿通穴
５３・・・スリット
５５・・・漏斗状部
７１・・・大径部
９１・・・アプリケータ基部
９２・・・底部
９３・・・凹溝
９５・・・ブラシ毛
９７・・・コーム部
９９・・・塗布棒取付部
１００・・液状化粧衣料
１１０・・気泡
【図１】
0005488018.tif 000002
【図２】
0005488018.tif 000003
【図３】
0005488018.tif 000004
【図４】
0005488018.tif 000005
【図５】
0005488018.tif 000006